(57)【要約】【課題】送受信効率が良くて消費電流を少なくすることができ、異なる通信相手への切り替えの際に最適な通信相手を選択することにより、通信の切断を防ぐこと。【解決手段】受信品質測定部１０２は、受信品質を測定する。しきい値判定部１０４は、受信品質としきい値とを比較し、受信品質がしきい値未満になった場合は判定値出力「ＯＫ」を出力する。期間判定部１０５は、判定値出力「ＯＫ」が入力する場合は時間を計測し、計測した時間が所定時間に達した場合は判定値出力「ＯＫ」を出力する。異周波測定制御部１０６は、判定値出力「ＯＫ」が入力する場合はハンドオーバ先の無線基地局の周波数を設定し、スケジュール部１０７は探索する時間を設定し、設定した時間に探索する無線基地局の周波数を無線制御部１０８へ出力する。【選択図】　　　図１
2004064541.tif 000002
【特許請求の範囲】
【請求項１】
受信信号の受信品質を測定する受信品質測定手段と、現通信相手の受信品質に関係づけて設定した比較値が第１のしきい値未満から前記第１のしきい値以上になる変化時刻から継続して前記第１のしきい値以上であるか若しくは前記比較値が前記第１のしきい値以上から前記第１のしきい値未満になる変化時刻から継続して前記第１のしきい値未満である受信品質低下状態を判定するしきい値判定手段と、前記受信品質低下状態が継続する受信品質低下時間を計測するとともに前記受信品質低下時間と第２のしきい値とを比較する期間判定手段と、前記受信品質低下時間が前記第２のしきい値以上になった場合に前記現通信相手とは異なる通信条件の新通信相手との通信時間を決めるスケジュール手段と、を具備することを特徴とする受信品質測定装置。
【請求項２】
前記第１のしきい値は、受信データの復調の際に要求される受信品質の高低に応じて変更することを特徴とする請求項１記載の受信品質測定装置。
【請求項３】
前記第２のしきい値は、受信データの復調の際に要求される受信品質の高低に応じて変更することを特徴とする請求項１または請求項２記載の受信品質測定装置。
【請求項４】
前記第１のしきい値は、前記受信品質測定手段によって測定した受信品質に応じて変更することを特徴とする請求項１から請求項３のいずれかに記載の受信品質測定装置。
【請求項５】
前記第２のしきい値は、前記受信品質測定手段によって測定した受信品質に応じて変更することを特徴とする請求項１から請求項４のいずれかに記載の受信品質測定装置。
【請求項６】
前記第１のしきい値は、前記記憶手段に記憶されている前記受信品質に応じて変更することを特徴とする請求項１から請求項５のいずれかに記載の受信品質測定装置。
【請求項７】
前記第２のしきい値は、前記記憶手段に記憶されている前記受信品質に応じて変更することを特徴とする請求項１から請求項６のいずれかに記載の受信品質測定装置。
【請求項８】
前記比較値は、前記受信品質測定手段にて測定した前記現通信相手の受信品質であり、前記受信品質が前記第１のしきい値以上から前記第１のしきい値未満になることにより、前記しきい値判定手段によって前記受信品質低下状態と判定されることを特徴とする請求項１から請求項７のいずれかに記載の受信品質測定装置。
【請求項９】
前記比較値は、前記受信品質測定手段にて測定した前記現通信相手の受信品質より求めた送信電力値であり、前記送信電力値が前記第１のしきい値未満から前記第１のしきい値以上になることにより、前記しきい値判定手段によって前記受信品質低下状態と判定されることを特徴とする請求項１から請求項７のいずれかに記載の受信品質測定装置。
【請求項１０】
前記比較値は、前記受信品質測定手段にて測定した前記現通信相手の受信品質及び前記受信品質より求めた送信電力値であり、前記受信品質が前記第１のしきい値以上から前記第１のしきい値未満及び前記送信電力値が前記第１のしきい値未満から前記第１のしきい値以上のいずれか一方になることにより、前記しきい値判定手段によって前記受信品質低下状態と判定されることを特徴とする請求項１から請求項７のいずれかに記載の受信品質測定装置。
【請求項１１】
前記比較値は、前記受信品質測定手段にて測定した前記現通信相手の受信品質及び前記受信品質より求めた送信電力値であり、前記受信品質が前記第１のしきい値以上から前記第１のしきい値未満になりかつ前記送信電力値が前記第１のしきい値未満から前記第１のしきい値以上になることにより、前記しきい値判定手段によって前記受信品質低下状態と判定されることを特徴とする請求項１から請求項７のいずれかに記載の受信品質測定装置。
【請求項１２】
前記比較値は、前記受信品質測定手段にて測定した前記現通信相手の受信品質より求めた送信電力値の所定時間における電力量であり、前記電力量が前記第１のしきい値未満から前記第１のしきい値以上になることにより、前記しきい値判定手段によって前記受信品質低下状態と判定されることを特徴とする請求項１から請求項７のいずれかに記載の受信品質測定装置。
【請求項１３】
前記比較値は、前記受信品質測定手段にて測定した前記現通信相手の受信品質より求めた送信電力値の所定時間における電力量の変化量であり、前記変化量が前記第１のしきい値未満から前記第１のしきい値以上になることにより、前記しきい値判定手段によって前記受信品質低下状態と判定されることを特徴とする請求項１から請求項７のいずれかに記載の受信品質測定装置。
【請求項１４】
請求項１から請求項１３のいずれかに記載の受信品質測定装置を具備することを特徴とする無線装置。
【請求項１５】
前記現通信相手及び前記新通信相手は基地局装置であり、前記記憶手段に記憶されている良好な受信品質の前記基地局装置との通信に切り替えることによりハンドオーバすることを特徴とする請求項１４記載の無線装置。
【請求項１６】
請求項１４または請求項１５記載の無線装置を具備することを特徴とする通信端末装置。
【請求項１７】
現通信相手の受信品質の状態を判定する工程と、前記受信品質が低下した状態が継続する時間を計測する工程と、前記受信品質が低下した状態が所定時間以上継続した場合に前記現通信相手とは異なる通信条件の新通信相手との通信時間を決める工程と、を具備することを特徴とする受信方法。
【請求項１８】
受信信号の受信品質を測定する工程と、現通信相手の受信品質に関係づけて設定した比較値が第１のしきい値未満から前記第１のしきい値以上になる変化時刻から継続して前記第１のしきい値以上であるか若しくは前記比較値が前記第１のしきい値以上から前記第１のしきい値未満になる変化時刻から継続して前記第１のしきい値未満である受信品質低下状態を判定する工程と、前記受信品質低下状態が継続する受信品質低下時間を計測するとともに前記受信品質低下時間と第２のしきい値とを比較する工程と、前記受信品質低下時間が前記第２のしきい値以上になった場合に前記現通信相手とは異なる通信条件の新通信相手との通信時間を決める工程と、を具備することを特徴とする受信方法。
【発明の詳細な説明】
【０００１】
【発明の属する技術分野】
本発明は、受信品質測定装置及び受信方法に関する。
【０００２】
【従来の技術】
従来の受信品質測定装置を備えた移動体端末は、移動することによって無線基地局から遠ざかることにより受信品質の劣化を検出した際は、現在通信を行っている無線基地局から、より通信距離が短く受信品質の高い基地局への無線回線の切り替えを行う。そのために、移動体端末は、事前に他の無線基地局の探索及び受信品質の測定を行い、測定した受信品質を記憶しておいて、無線回線の切り替えが必要になった際には、記憶しておいた受信品質の中から良好な受信品質の無線基地局を選択して無線回線の切り替えを行う。
【０００３】
全ての無線基地局が同一の周波数若しくは同一の通信方式である場合は、移動体端末は現在通信を行っている無線基地局との通信を継続しながら別の無線基地局の探索及び受信品質の測定を行うことが可能である。しかし、無線基地局毎に異なる周波数若しくは異なる無線通信方式である場合は、一旦現在通信を行っている無線基地局との通信を中断して別の無線基地局の探索及び受信品質の測定を行い、探索及び測定終了後に再び中断した通信を復帰させる必要がある。
【０００４】
一方、無線基地局毎に異なる周波数若しくは異なる無線通信方式である場合において、受信品質の劣化を検出した場合であっても、受信品質の劣化が一時的なものであり、実際は現在通信中の無線回線の受信品質が十分に良好なものであるならば、特に率先して切り替え先の無線基地局の探索及び受信品質の測定をする必要はない。
【０００５】
また、移動体端末の高速移動等により受信品質が急激に劣化した際には、早急に受信品質の良好な無線基地局に切り替える必要が生じる。無線基地局の切り替えを行う際は、切り替えを行う前に事前に切り替え先の無線基地局の受信品質情報を得ておく必要があるが、受信品質の劣化が急激である場合は、できるだけ最新の受信品質情報を得ることが望ましい。
【０００６】
【発明が解決しようとする課題】
しかしながら、従来の受信品質測定装置においては、受信品質の低下を検出した際は、常に切り替え先の無線基地局の探索及び受信品質の測定を行うため、送受信効率が悪く、消費電流が大きくなるという問題がある。また、送受信効率を良くするために、無線基地局の探索及び受信品質の測定の周期を長くすると、最新の受信品質情報が得られないため、急激に受信品質が低下した場合は、受信品質が良好である最適な無線基地局への切り替えができずに通信が途切れるという問題がある。
【０００７】
本発明はかかる点に鑑みてなされたものであり、送受信効率が良くて消費電流を少なくすることができ、異なる通信相手への切り替えの際に最適な通信相手を選択することにより、通信の切断を防ぐことができる受信品質測定装置及び受信方法を提供することを目的とする。
【０００８】
【課題を解決するための手段】
本発明の受信品質測定装置は、受信信号の受信品質を測定する受信品質測定手段と、現通信相手の受信品質に関係づけて設定した比較値が第１のしきい値未満から前記第１のしきい値以上になる変化時刻から継続して前記第１のしきい値以上であるか若しくは前記比較値が前記第１のしきい値以上から前記第１のしきい値未満になる変化時刻から継続して前記第１のしきい値未満である受信品質低下状態を判定するしきい値判定手段と、前記受信品質低下状態が継続する受信品質低下時間を計測するとともに前記受信品質低下時間と第２のしきい値とを比較する期間判定手段と、前記受信品質低下時間が前記第２のしきい値以上になった場合に前記現通信相手とは異なる通信条件の新通信相手との通信時間を決めるスケジュール手段と、を具備する構成を採る。
【０００９】
この構成によれば、受信品質低下時間が第２のしきい値以上になった場合のみ新通信相手の探索及び新通信相手の受信品質の測定を行うため、一時的に受信品質が低下しただけであって新通信相手との通信に切り替える必要がない場合は、新通信相手の探索及び受信品質の測定を行わないので、送受信効率が良く、消費電流の増大を防ぐことができる。
【００１０】
本発明の受信品質測定装置における前記第１のしきい値は、受信データの復調の際に要求される受信品質の高低に応じて変更する構成を採る。
【００１１】
また、本発明の受信品質測定装置における前記第２のしきい値は、受信データの復調の際に要求される受信品質の高低に応じて変更する構成を採る。
【００１２】
これらの構成によれば、動画等の高品質データの送受信の際には新通信相手の探索及び受信品質の測定の回数を増やして最新の受信品質を記憶することができ、音声等の高品質データではない場合には新通信相手の探索及び受信品質の測定の回数を減らすため、送受信効率を良くして消費電流を低減できるとともに、高品質データの送受信の際に通信が途切れることを防ぐことができる。
【００１３】
本発明の受信品質測定装置における前記第１のしきい値は、前記受信品質測定手段によって測定した受信品質に応じて変更する構成を採る。
【００１４】
また、本発明の受信品質測定装置における前記第２のしきい値は、前記受信品質測定手段によって測定した受信品質に応じて変更する構成を採る。
【００１５】
これらの構成によれば、受信品質が良好な場合は第１のしきい値を高くして第２のしきい値を大きくして新通信相手の探索及び受信品質の測定の回数を減らし、受信品質が良くない場合は第１のしきい値を低くして第２のしきい値を小さくして最新の受信品質を記憶して最新の受信品質を記憶することができるため、送受信効率を良くして消費電流を低減できるとともに、通信が途切れることを防ぐことができる。
【００１６】
本発明の受信品質測定装置における前記第１のしきい値は、前記記憶手段に記憶されている前記受信品質に応じて変更する構成を採る。
【００１７】
また、本発明の受信品質測定装置における前記第２のしきい値は、前記記憶手段に記憶されている前記受信品質に応じて変更する構成を採る。
【００１８】
これらの構成によれば、新通信相手の受信品質の方が良い場合は、新通信相手の探索及び受信品質の測定の回数を増やして最新の受信品質を記憶し、新通信相手の受信品質の方が悪い場合は、新通信相手の探索及び受信品質の測定の回数を減らすため、送受信効率を良くして消費電流を低減することができるとともに、新通信相手へ切り替える場合は最新の受信品質に基づいて切り替えることができるため、通信が途切れることを防ぐことができる。
【００１９】
本発明の受信品質測定装置における前記比較値は、前記受信品質測定手段にて測定した前記現通信相手の受信品質であり、前記受信品質が前記第１のしきい値以上から前記第１のしきい値未満になることにより、前記しきい値判定手段によって前記受信品質低下状態と判定される構成を採る。
【００２０】
この構成によれば、受信品質を第１のしきい値と直接比較することによって受信品質低下状態であることを判定するため、受信品質が低下した場合に迅速に新通信相手の探索及び受信品質の測定をすることができる。
【００２１】
本発明の受信品質測定装置における前記比較値は、前記受信品質測定手段にて測定した前記現通信相手の受信品質より求めた送信電力値であり、前記送信電力値が前記第１のしきい値未満から前記第１のしきい値以上になることにより、前記しきい値判定手段によって前記受信品質低下状態と判定される構成を採る。
【００２２】
この構成によれば、他の送信信号との干渉をふせぐための送信電力制御において求めた送信電力値と第１のしきい値との比較を行うため、送信電力値の変化幅が受信品質の変化幅に比べて小さく、第１のしきい値を設定する位置を微調整することによりきめ細かなタイミングにて新通信相手の探索及び受信品質の測定を行うことができる。
【００２３】
本発明の受信品質測定装置における前記比較値は、前記受信品質測定手段にて測定した前記現通信相手の受信品質及び前記受信品質より求めた送信電力値であり、前記受信品質が前記第１のしきい値以上から前記第１のしきい値未満及び前記送信電力値が前記第１のしきい値未満から前記第１のしきい値以上のいずれか一方になることにより、前記しきい値判定手段によって前記受信品質低下状態と判定される構成を採る。
【００２４】
この構成によれば、受信品質及び送信電力値のいずれか一方の受信品質低下時間が、第２のしきい値以上であれば新通信相手の探索及び受信品質の測定を行うため、受信品質の低下があった場合には確実に新通信相手の探索及び受信品質の測定を行うことができる。
【００２５】
本発明の受信品質測定装置における前記比較値は、前記受信品質測定手段にて測定した前記現通信相手の受信品質及び前記受信品質より求めた送信電力値であり、前記受信品質が前記第１のしきい値以上から前記第１のしきい値未満になりかつ前記送信電力値が前記第１のしきい値未満から前記第１のしきい値以上になることにより、前記しきい値判定手段によって前記受信品質低下状態と判定される構成を採る。
【００２６】
この構成によれば、受信品質及び送信電力値の両方の受信品質低下時間が第２のしきい値以上になるまで新通信相手の探索及び受信品質の測定を行わないため、不用意な新通信相手の探索及び受信品質の測定を防ぐことができて、新通信相手の探索及び受信品質の測定の回数を減らすことができ、消費電流を少なくすることができる。
【００２７】
本発明の受信品質測定装置における前記比較値は、前記受信品質測定手段にて測定した前記現通信相手の受信品質より求めた送信電力値の所定時間における電力量であり、前記電力量が前記第１のしきい値未満から前記第１のしきい値以上になることにより、前記しきい値判定手段によって前記受信品質低下状態と判定される構成を採る。
【００２８】
この構成によれば、送信電力値の所定時間における電力量と第１のしきい値とを比較するので、送信電力値が上昇するたびに新通信相手の探索及び受信品質の測定を行うことを防ぐことができ、新通信相手の探索及び受信品質の測定の回数を減らすことができ、消費電流を少なくすることができる。
【００２９】
本発明の受信品質測定装置における前記比較値は、前記受信品質測定手段にて測定した前記現通信相手の受信品質より求めた送信電力値の所定時間における電力量の変化量であり、前記変化量が前記第１のしきい値未満から前記第１のしきい値以上になることにより、前記しきい値判定手段によって前記受信品質低下状態と判定される構成を採る。
【００３０】
この構成によれば、送信電力値より求めた電力量の変化量と第１のしきい値とを比較するため、高速移動等により早急に通信相手先を切り替える必要が生じた際に、素早く新通信相手の探索及び受信品質の測定を行うことができることにより新通信相手の最新の受信品質を測定することができ、最新の受信品質に基づいて最適な新通信相手を選択することができることにより高速移動等により通信が切断することを防ぐことができる。
【００３１】
本発明の無線装置は、上記いずれかの受信品質測定装置を具備する構成を採る。
【００３２】
本発明の無線装置は、前記現通信相手及び前記新通信相手は基地局装置であり、前記記憶手段に記憶されている良好な受信品質の前記基地局装置との通信に切り替えることによりハンドオーバする構成を採る。
【００３３】
この構成によれば、通信が切断せずにスムーズに基地局間においてハンドオーバをすることができる。
【００３４】
本発明の通信端末装置は、上記いずれかの無線装置を具備する構成を採る。
【００３５】
これらの構成によれば、新通信相手の探索及び受信品質の測定の回数を減らすことができるため、送受信効率が良く、消費電流を少なくすることができる。
【００３６】
本発明の受信方法は、現通信相手の受信品質の状態を判定する工程と、前記受信品質が低下した状態が継続する時間を計測する工程と、前記受信品質が低下した状態が所定時間以上継続した場合に前記現通信相手とは異なる通信条件の新通信相手との通信時間を決める工程と、を具備することである。
【００３７】
また、本発明の受信方法は、受信信号の受信品質を測定する工程と、現通信相手の受信品質に関係づけて設定した比較値が第１のしきい値未満から前記第１のしきい値以上になる変化時刻から継続して前記第１のしきい値以上であるか若しくは前記比較値が前記第１のしきい値以上から前記第１のしきい値未満になる変化時刻から継続して前記第１のしきい値未満である受信品質低下状態を判定する工程と、前記受信品質低下状態が継続する受信品質低下時間を計測するとともに前記受信品質低下時間と第２のしきい値とを比較する工程と、前記受信品質低下時間が前記第２のしきい値以上になった場合に前記現通信相手とは異なる通信条件の新通信相手との通信時間を決める工程と、を具備することである。
【００３８】
これらの方法によれば、受信品質低下時間が所定時間継続した場合のみ新通信相手の探索及び新通信相手の受信品質の測定を行うため、新通信相手に切り替えるほど実際は受信品質が低下していない場合には新通信相手の探索及び受信品質の測定は行わないので、受信効率が悪くなることを防ぐことができるとともに、消費電流の増大を防ぐことができる。
【００３９】
【発明の実施の形態】
本発明の骨子は、受信品質がしきい値未満であることを検出した場合に、受信品質がしきい値未満である状態が所定時間継続して続いた時のみハンドオーバ先の無線基地局の探索及び受信品質の測定を行うことである。
【００４０】
以下、本発明の実施の形態について、図面を参照して詳細に説明する。
【００４１】
（実施の形態１）
図１は、本発明の実施の形態１に係る受信品質測定装置１００の構成を示す図である。受信品質測定装置１００は、無線受信部１０１、受信品質測定部１０２、無線送信部１０３、しきい値判定部１０４、期間判定部１０５、異周波測定制御部１０６、スケジュール部１０７、無線制御部１０８、記憶部１０９及びハンドオーバ先選択部１１０とから主に構成される。
【００４２】
無線受信部１０１は、入力する受信信号に対して、無線周波数から中間周波数への変調処理を行って受信品質測定部１０２へ出力する。
【００４３】
受信品質測定部１０２は、現在通信を行っている現通信相手である無線基地局からの受信信号を受信した場合は、無線受信部１０１から入力する受信信号の受信品質（例えばＳＩＲ値）を測定し、測定結果をしきい値判定部１０４へ出力する。また、異なる周波数の無線基地局の探索及び受信品質の測定を行う場合は、測定した受信品質を受信品質測定部１０２から記憶部１０９へ出力する。
【００４４】
無線送信部１０３は、図示しない変調部から入力した送信信号を送信データ無線制御部１０８により制御された通信周波数にて出力する。
【００４５】
しきい値判定部１０４は、受信品質測定部１０２から入力する受信品質としきい値とを比較して、受信品質がしきい値以上であれば判定値出力「ＮＧ」を期間判定部１０５へ出力し続ける。一方、受信品質がしきい値未満であれば判定値出力「ＯＫ」を期間判定部１０５へ出力し続ける。また、しきい値判定部１０４は、受信品質測定部１０２から入力する受信品質が、前記の判定値出力「ＯＫ」を出力する際に比較したしきい値よりさらに受信品質が悪い値に設けたしきい値未満になった際には、その旨の信号をスケジュール部１０７へ出力する。なお、受信品質としきい値との関係及び期間判定部１０５及びスケジュール部１０７へ出力するタイミングについては後述する。
【００４６】
期間判定部１０５は、しきい値判定部１０４から判定値出力「ＮＧ」が入力した場合は、時刻の計測は行わず、異周波測定制御部１０６への出力も行わない。判定値出力「ＯＫ」がしきい値判定部１０４から期間判定部１０５へ入力した場合は、期間判定部１０５は、判定値出力「ＯＫ」が入力した時刻からの時間を計測し始め、判定値出力「ＯＫ」が入力する限り時間を計測し続ける。時間を計測している間は、期間判定部１０５から異周波測定制御部１０６へは判定出力値「ＮＧ」が出力され続ける。そして、計測した時間が第２のしきい値としての所定時間を経過した場合は、所定時間経過した旨の判定値出力「ＯＫ」を異周波測定制御部１０６へ出力する。一方、しきい値判定部１０４から期間判定部１０５へ判定値出力「ＯＫ」が入力された場合であっても、所定時間経過する前に判定値出力「ＮＧ」がしきい値判定部１０４から期間判定部１０５へ入力された場合は、期間判定部１０５は判定値出力「ＮＧ」を異周波測定制御部１０６へ出力する。
【００４７】
異周波測定制御部１０６は、期間判定部１０５から判定値出力「ＯＫ」が入力した場合は、異なる周波数を使用するハンドオーバ先の無線基地局の探索のために、ハンドオーバ先の無線基地局の受信品質を測定するための制御信号をスケジュール部１０７へ出力する。また、スケジュール部１０７によって設定されたハンドオーバ先の無線基地局の受信品質の測定の時間が終了すると、ハンドオーバ先の無線基地局の通信周波数から元の周波数に戻す為の制御信号をスケジュール部１０７へ出力する。
【００４８】
スケジュール部１０７は、周波数が異なる新通信相手であるハンドオーバ先の無線基地局を探索する旨の指示信号が異周波測定制御部１０６から入力した場合は、受信品質を測定するための時間を設定する。受信品質を測定するための時間は、定期的に若しくは現通信の空き時間に設定する。そして、設定した時刻が来た時は、探索の対象となる無線基地局の周波数を無線制御部１０８へ出力する。無線基地局の探索が終了した場合は、探索前の元の周波数を無線制御部１０８へ出力する。また、スケジュール部１０７は、受信品質が劣化した旨の信号がしきい値判定部１０４から入力した際には、ハンドオーバ先の無線基地局に切り替えるタイミングを設定し、設定した時間になるとハンドオーバ先の無線基地局を選択するための信号を、ハンドオーバ先選択部１１０へ出力する。
【００４９】
無線制御部１０８は、スケジュール部１０７から無線回線の周波数の信号が入力した場合は、無線受信部１０１及び無線送信部１０３に対して無線回線の周波数の制御を行う。
【００５０】
記憶部１０９は、受信品質測定部１０２にて測定した受信品質が入力し、入力した受信品質を通信周波数毎に記憶する。この場合に、測定した無線周波数の受信品質がすでに記憶されている場合は、最新の受信品質に更新して記憶する。
【００５１】
ハンドオーバ先選択部１１０は、スケジュール部１０７からハンドオーバ先の無線基地局を選択する旨の信号が入力した場合には、記憶部１０９に記憶されている各無線基地局の受信品質の中から、最も受信品質が良好な周波数の無線基地局を選択して、無線基地局の選択情報を図示しないハンドオーバ制御部へ出力する。なお、記憶部１０９に記憶されている受信品質に基づいてハンドオーバ先の無線基地局を選択する際は、ある程度の通信品質が得られる受信品質の無線基地局であれば、最も受信品質が良好な無線基地局でなくても良い。
【００５２】
次に、上記構成を有する受信品質測定装置１００の動作について説明する。無線受信部１０１に入力した受信信号は、無線受信部１０１にて無線周波数から中間周波数に変調された後、受信品質測定部１０２へ出力される。次に、受信品質測定部１０２において、受信信号より受信品質を測定してしきい値判定部１０４へ出力する。しきい値判定部１０４に入力した受信品質の測定結果は、後述するしきい値と比較される。受信品質がしきい値以上である場合は、しきい値判定部１０４からは判定値出力「ＮＧ」が出力される。
【００５３】
一方、受信品質がしきい値未満である場合は、判定値出力「ＯＫ」がしきい値判定部１０４から期間判定部１０５へ出力される。そして、判定値出力「ＯＫ」が入力された期間判定部１０５は、判定値出力「ＯＫ」が入力した時刻からの時間を計測し、所定時間が経過した場合にのみ期間判定部１０５から異周波測定制御部１０６へ判定値出力「ＯＫ」を出力する。なお、期間判定部１０５における動作の詳細については後述する。異周波測定制御部１０６に判定値出力「ＯＫ」が入力した場合は、異周波測定制御部１０６は、ハンドオーバ先の無線基地局の受信品質を測定するための制御信号をスケジュール部１０７へ出力する。スケジュール部１０７は、異周波測定制御部１０６から制御信号が入力した場合は、受信品質を測定するための時間を設定し、設定した時間が来た時にハンドオーバ先の無線基地局の周波数を無線制御部１０８へ出力する。無線制御部１０８は、図示しない変調部から無線送信部１０３に入力した送信信号に対して、スケジュール部１０７から入力した周波数に変調する制御を行い、無線送信部１０３から変調された送信信号が出力される。
【００５４】
上記の方法により、ハンドオーバ先の無線基地局と通信を開始した後に、ハンドオーバ先の無線基地局から受信信号を受信した場合は、受信信号は無線受信部１０１にて無線周波数から中間周波数に変調され、受信品質測定部１０２にて受信品質が測定される。測定した受信品質は、記憶部１０９へ出力されて周波数毎に記憶される。この時に、同一周波数の受信品質がすでに記憶されている場合は、前に記憶した受信品質を更新して最新の受信品質を記憶するようにする。
【００５５】
スケジュール部１０７にて設定したハンドオーバ先の無線基地局を探索するための時間が終了すると、スケジュール部１０７は、元の周波数に戻すための制御信号を無線制御部１０８へ出力する。無線制御部１０８は、無線送信部１０３に対して元の周波数に戻すための変調の制御を行い、変調された元の周波数の送信信号が出力され、ハンドオーバ先の無線基地局を探索する前の通信状態に戻る。
【００５６】
このようにして事前にハンドオーバ先の無線基地局の受信品質を記憶した後に受信品質が劣化した旨の信号がしきい値判定部１０４からスケジュール部１０７へ入力した際は、スケジュール部１０７は、ハンドオーバ先選択部１１０へハンドオーバ先の無線基地局を選択する旨の信号を出力する。そして、ハンドオーバ先選択部１１０は、記憶部１０９に記憶されている各周波数の受信品質の中から、最も受信品質が良好な無線基地局を選択し、選択した無線基地局の選択情報を図示しないハンドオーバ制御部へ出力し、選択した無線基地局へハンドオーバが行われる。
【００５７】
次に、しきい値判定部１０４及び期間判定部１０５における判定方法について、図２を用いて説明する。図２において、横軸は時間であり、縦軸は受信品質である。また、図２において、縦軸の受信品質は、縦軸の下にあるときほど受信品質が悪くなっているものとする。時刻ｔ０から時刻ｔ１の期間においては、受信品質は受信品質低下判定用しきい値２０１以上であるため、期間判定部１０５は時間の計測は行わない。
【００５８】
変化時刻である時刻ｔ１になると、受信品質は受信品質低下判定用しきい値２０１未満になるため、しきい値判定部１０４は判定値出力「ＯＫ」を期間判定部１０５へ出力する。期間判定部１０５は、判定値出力「ＯＫ」が入力する時刻ｔ１からの時間を計測する。期間判定部１０５は、時刻ｔ１から所定時間Ｌ１が経過するまでは、判定値出力「ＯＫ」が入力し続けるため、時間を継続して計測する。時刻ｔ１から時刻ｔ２までの間に、受信品質は受信品質低下判定用しきい値２０１以上になることはないため、期間判定部１０５は所定時間Ｌ１を計測した後に所定期間Ｌ１が経過した旨の信号「ＯＫ」を異周波測定制御部１０６へ出力し、ハンドオーバ先の無線基地局の探索が開始される。
【００５９】
時刻ｔ２になると、期間判定部１０５は時刻ｔ１から時刻ｔ２まで計測した時間Ｌ１をリセットし、再度時刻ｔ２から時間の計測を開始する。しかし、時刻ｔ３において、受信品質が受信品質低下判定用しきい値２０１以上になるため、時刻ｔ２から時刻ｔ３までの時間Ｌ２は所定時間Ｌ１以下であり、時刻ｔ３に判定値出力「ＮＧ」が期間判定部１０５に入力することにより、期間判定部１０５から異周波測定制御部１０６へは判定値出力「ＮＧ」が出力される。即ち、期間判定部１０５から異周波測定制御部１０６へ出力される判定値出力「ＯＫ」は、時間Ｌ１と同じ時間だけ経過しないと出力されない。
【００６０】
時刻ｔ４になると受信品質は、再び受信品質低下判定用しきい値２０１未満になるため、しきい値判定部１０４は期間判定部１０５へ判定値出力「ＯＫ」を出力し、期間判定部１０５は再度時刻ｔ４からの時間を計測し始める。しかし、時間Ｌ１と同じ時間が経過する前に時刻ｔ５において、受信品質が受信品質低下判定用しきい値２０１以上になるため、しきい値判定部１０４は判定値出力「ＮＧ」を期間判定部１０５へ出力し、期間判定部１０５は異周波測定制御部１０６へ判定値出力「ＮＧ」を出力することにより、異周波測定制御部１０６はハンドオーバ先の無線基地局との通信を開始するための制御信号をスケジュール部１０７へは出力しない。
【００６１】
時刻ｔ６になると、しきい値判定部１０４にて受信品質測定部１０２で測定した受信品質が受信品質劣化判定用しきい値２０２未満であると判定されると、判定結果がハンドオーバ先選択部１１０へ出力されて、選択した無線基地局へハンドオーバが行われる。なお、受信品質が受信品質低下判定用しきい値２０１未満でかつ受信品質劣化判定用しきい値２０２以上になる時刻ｔ１から時刻ｔ３及び時刻ｔ４から時刻ｔ５が受信品質低下時間であり、受信品質低下時間において受信品質低下状態になる。
【００６２】
このように、本実施の形態の受信品質測定装置によれば、しきい値判定部１０４において、受信品質の低下を検出した場合でも期間判定部１０５にて所定時間が経過するまではハンドオーバ先の無線基地局の探索及び受信品質の測定を行わないため、ハンドオーバ先の無線基地局の受信品質の測定の回数を減らすことができ、送受信効率を良くすることができる。また、しきい値判定部１０４及び期間判定部１０５において、切り替え先の無線基地局の探索及び受信品質の測定を行うか否かの判定の際に、しきい値及び期間を用いるため、判定に複雑な処理を必要としない。
【００６３】
なお、本実施の形態においては、ハンドオーバ先の無線基地局の探索を目的として無線基地局の受信品質を測定することとしたが、ハンドオーバする場合以外の目的で無線基地局の受信品質を測定する場合にも適用可能である。また、ハンドオーバ先の無線基地局を異なる周波数にて通信を行うこととしたが、ハンドオーバ先の無線基地局の通信方式が異なる場合等の通信条件が異なる場合においても適用可能である。
【００６４】
（実施の形態２）
図３は、本発明の実施の形態２に係る受信品質測定装置３００の構成を示す図である。本実施の形態においては、送信電力制御部３０１を設ける構成及びしきい値判定部３０３としきい値判定部３０２を設ける構成が図１の構成と相違している。なお、図１と同一構成の部分は、同一の符号を付してその説明は省略する。
【００６５】
送信電力制御部３０１は、受信品質測定部１０２から入力する受信品質及び無線受信部１０１から入力する無線基地局からの送信信号に付加される送信電力制御情報を用いて送信電力値を求め、求めた送信電力値をしきい値判定部３０３へ出力する。また、送信電力制御部３０１は、求めた送信電力値に基づいて、無線送信部１０３において図示しない変調部から入力する送信信号に対して送信電力制御を行う。
【００６６】
しきい値判定部３０２は、受信品質測定部１０２から入力する受信品質としきい値とを比較し、比較結果をスケジュール部１０７へ出力する。
【００６７】
しきい値判定部３０３は、送信電力制御部３０１から入力する送信電力値としきい値との比較を行い、比較結果を期間判定部１０５へ出力する。なお、送信電力値としきい値との比較の方法については後述する。
【００６８】
無線送信部１０３は、送信電力制御部３０１により送信電力制御された図示しない変調部から入力した送信信号を、送信データ無線制御部１０８により制御された通信周波数にて出力する。
【００６９】
次に、しきい値判定部３０３における判定方法について、図４を用いて説明する。図４において、横軸は時間であり、縦軸は送信電力値である。なお、受信品質が悪くなるほど送信電力値は高くなる。時刻ｔ７以前では送信電力値は、しきい値４０１未満であるが、時刻ｔ７の前後で送信電力が急激に増大している。このような送信電力の急激な増大は、移動体端末の移動により無線基地局間に障害物が生じた事による直接波が到達しないこと、移動体端末の高速移動による位相変動、フェージング雑音の増大などの受信品質の劣化によるもの、移動体端末と無線基地局間距離の増大及びセル内の利用チャネル数の増加等が原因で起こるものである。そして、時刻ｔ７でしきい値４０１以上になるため、しきい値判定部３０３は、期間判定部１０５へ判定値出力「ＯＫ」を出力する。そして、期間判定部１０５は、しきい値判定部３０３から判定値出力「ＯＫ」が入力すると、時間の計測を開始する。期間判定部１０５は、判定基準が所定の時間経過するまでは常に判定値出力「ＮＧ」を異周波測定制御部１０６へ出力し続ける。期間判定部１０５における時間の計測は、しきい値判定部３０３が判定値出力「ＯＫ」を期間判定部１０５へ出力し続ける間は継続して行う。期間判定部１０５において期間を計測している間は、期間判定部１０５は常に異周波測定制御部１０６へ判定値出力「ＮＧ」を出力している。時刻７からｔ８にかけてしきい値判定部３０３は送信電力値としきい値との比較を行い、ｔ８に至るまで送信電力値がしきい値を下回ることが無い為、しきい値判定部３０３は、常に判定値「ＯＫ」を期間判定部１０５へ出力し続けている。そして、時刻がｔ８に達すると、期間判定部１０５で計測する時間が所定時間経過するため、期間判定部１０５から異周波測定制御部１０６への判定値出力が「ＮＧ」から「ＯＫ」へと反転し、ハンドオーバ先の無線基地局の探索が開始される。しきい値判定部３０３及び期間判定部１０５の判定値出力「ＯＫ」は、ｔ８以降送信電力がしきい値以上である間は継続して出力される。そして、時刻ｔ９で送信電力値がしきい値４０１未満になるため、しきい値判定部３０３及び期間判定部１０５の判定値出力が「ＮＧ」となる。また、前記期間判定部１０５の判定値出力が「ＮＧ」となると同時に時刻の計測を停止し、初期化される。
【００７０】
このように、本実施の形態の受信品質測定装置によれば、上記実施の形態１の効果に加えて、受信品質も加味して制御される送信電力をその判定に用いることで、異なる周波数における無線回線の状態を測定するべき時刻、頻度をより効率的に判定することが可能となる。
【００７１】
なお、本実施の形態においては、受信品質測定部１０２より記憶部１０９へ出力することとしているが、送信電力制御部３０１から記憶部１０９へ出力するようにして、記憶部１０９において送信電力値を記憶するようにしても良い。
【００７２】
（実施の形態３）
図５、本発明の実施の形態３に係る受信品質測定装置５００の構成を示す図である。本実施の形態においては、論理和素子５０５及び期間判定部５０２、５０４を設ける構成が図３の構成と相違している。なお、図１及び図３と同一構成である部分は、同一の符号を付してその説明は省略する。
【００７３】
期間判定部５０２は、しきい値判定部３０２から判定値出力「ＮＧ」が入力する場合は、時間の計測は行わないため、論理和素子５０５へは常に判定値出力「ＮＧ」が出力される。また、しきい値判定部３０２から判定値出力「ＯＫ」が入力する場合は、しきい値判定部３０２から判定値出力「ＯＫ」が入力し続ける限り継続して時間を計測し、所定の時間が経過した場合は判定値出力「ＯＫ」を論理和素子５０５へ出力する。一方、しきい値判定部３０２から判定値出力「ＯＫ」が入力する場合であっても、所定の時間が経過する前にしきい値判定部３０２から判定値出力「ＮＧ」が入力する場合は、期間判定部５０２から論理和素子５０５へは判定値出力「ＮＧ」が出力される。
【００７４】
期間判定部５０４は、しきい値判定部３０３から判定値出力「ＮＧ」が入力する場合は、時間の計測は行わないため、論理和素子５０５へは常に判定値出力「ＮＧ」が出力される。また、しきい値判定部３０３から判定値出力「ＯＫ」が入力する場合は、しきい値判定部３０３から判定値出力「ＯＫ」が入力し続ける限り継続して時間を計測し、所定の時間が経過した場合は判定値出力「ＯＫ」を論理和素子５０５へ出力する。一方、しきい値判定部３０３から判定値出力「ＯＫ」が入力する場合であっても、所定の時間が経過する前にしきい値判定部３０３から判定値出力「ＮＧ」が入力する場合は、期間判定部５０４から論理和素子５０５へは判定値出力「ＮＧ」が出力される。
【００７５】
論理和素子５０５は、期間判定部５０２と期間判定部５０４との両方の出力が「ＮＧ」である場合は、判定値出力「ＮＧ」を異周波測定制御部１０６へ出力する。このため、異周波測定制御部１０６は制御信号をスケジュール部１０７へは出力しない。一方、期間判定部５０２と期間判定部５０４のいずれか一方の判定値出力が「ＯＫ」である場合若しくは期間判定部５０２と期間判定部５０４との両方の判定値出力が「ＯＫ」である場合は、論理和素子５０５は異周波測定制御部１０６へ判定値出力「ＯＫ」を出力する。このため、異周波測定制御部１０６は制御信号をスケジュール部１０７へ出力し、ハンドオーバ先の無線基地局の探索及び受信品質の測定が行われる。
【００７６】
このように、本実施の形態の受信品質測定装置によれば、上記実施の形態１及び実施の形態２の効果に加えて、受信品質及び送信電力値のいずれか一方が「ＯＫ」であれば切り替え先の無線基地局の探索及び受信品質の測定を行うので、送信電力の制御によっては受信品質の急激な変化に追従しきれない場合や、受信品質や送信電力の急激な変化によって判定が頻繁になる場合においても、柔軟に無線回線の受信品質測定することを促すことが可能となる。
【００７７】
なお、本実施の形態においては、受信品質測定部１０２から記憶部１０９へ出力することとしたが、送信電力制御部３０１から記憶部１０９へ出力するようにして記憶部１０９にて送信電力値を記憶するようにしても良いし、受信品質測定部１０２及び送信電力制御部３０１の両方から記憶部１０９へ出力するようにして記憶部１０９にて受信品質及び送信電力値の両方を記憶するようにしても良い。
【００７８】
（実施の形態４）
図６は、本発明の実施の形態４に係る受信品質測定装置６００の構成を示す図である。本実施の形態においては、論理和素子５０５の代わりに論理積素子６０１を設ける構成が図５の構成と相違している。なお、図１、図３及び図５と同一構成である部分は、同一の符号を付してその説明は省略する。
【００７９】
論理積素子６０１は、期間判定部５０２と期間判定部５０４との両方の判定値出力が「ＮＧ」である場合若しくは期間判定部５０２と期間判定部５０４のいずれか一方の判定値出力が「ＯＫ」である場合は、論理積素子６０１から異周波測定制御部１０６へは判定値出力「ＮＧ」を出力する。このため、異周波測定制御部１０６は制御信号をスケジュール部１０７へは出力しない。一方、期間判定部５０２と期間判定部５０４との両方の出力が「ＯＫ」である場合は、論理積素子６０１から異周波測定制御部１０６へは判定値出力「ＯＫ」を出力し、これにより異周波測定制御部１０６は制御信号をスケジュール部１０７へ出力し、ハンドオーバ先の無線基地局の探索及び受信品質の測定が行われる。
【００８０】
このように、本実施の形態の受信品質測定装置によれば、上記実施の形態１及び実施の形態２の効果に加えて、受信品質及び送信電力値の両方の判定結果が「ＯＫ」の場合のみハンドオーバ先の無線基地局の探索及び受信品質の測定を行うので、誤った判定結果に基づいて探索及び測定を行うことを防止することができる。
【００８１】
なお、本実施の形態においては、受信品質測定部１０２から記憶部１０９へ出力することとしたが、送信電力制御部３０１から記憶部１０９へ出力するようにして記憶部１０９にて送信電力値を記憶するようにしても良いし、受信品質測定部１０２及び送信電力制御部３０１の両方から記憶部１０９へ出力するようにして記憶部１０９にて受信品質及び送信電力値の両方を記憶するようにしても良い。
【００８２】
（実施の形態５）
図７は、本発明の実施の形態５に係る受信品質測定装置７００の構成を示す図である。本実施の形態においては、期間判定部１０５を削除して電力量計算部７０１を設ける構成が図３の構成と相違している。なお、図１及び図３と同一構成である部分は、同一の符号を付してその説明は省略する。
【００８３】
電力量計算部７０１は、送信電力制御部３０１から入力する送信電力値より送信電力量を算出してしきい値判定部７０２へ出力する。電力量の計算は、一定の時刻区間を定め、現時刻より過去一定時間前までの送信電力より電力量を求める。
【００８４】
しきい値判定部７０２は、電力量計算部７０１から入力する電力量としきい値とを比較し、電力量がしきい値未満である場合は、しきい値判定部７０２から異周波測定制御部１０６へ判定値出力「ＮＧ」を出力する。このため、異周波測定制御部１０６は制御信号をスケジュール部１０７へは出力しない。一方、電力量がしきい値以上である場合は、しきい値判定部７０２から異周波測定制御部１０６へ判定値出力「ＯＫ」を出力するため、異周波測定制御部１０６は制御信号をスケジュール部１０７へ出力し、ハンドオーバ先の無線基地局の探索及び受信品質の測定が行われる。
【００８５】
次に、しきい値判定部７０２における送信電力量を用いた判定方法について、図８及び図９を用いて説明する。図８は送信電力制御部３０１によって制御される送信電力の時刻推移を示す図であり、縦軸は送信電力値であり、横軸は時間である。また、図９は送信電力の電力量の時刻推移を示す図であり、縦軸は電力量であり、横軸は時間である。なお、本実施の形態において、図８のしきい値３０１は、説明のために便宜上記載したものであり、しきい値判定の際には用いない。図９の時刻ｔ１１における電力量は、図８の時刻ｔ１０から時刻ｔ１１までの区間における電力量であり、図９の時刻ｔ１３における電力量は、図８の時刻ｔ１２から時刻ｔ１３までの区間における電力量である。送信電力値が継続してしきい値３０１以上である時間を用いてハンドオーバ先の無線基地局の探索及び受信品質を測定する場合は、図８に示すように、所定の時間である時刻ｔ１０から時刻ｔ１１の間において、送信電力値がしきい値３０１を超えさえすれば、しきい値を超える量がわずかであってもハンドオーバ先の無線基地局の探索及び測定を開始してしまう。一方、送信電力値がしきい値３０１よりも大分大きい場合であっても、所定の時刻ｔ１４になる前に時刻ｔ１３において送信電力値がしきい値３０１より小さくなってしまうため、送信電力値が高くて受信品質が劣化しているにも関わらず、ハンドオーバ先の無線基地局の探索及び測定は行わない。このような弊害を防止するために、本実施の形態においては、送信電力値から求めた送信電力量がしきい値９０１を超えるか否かによりハンドオーバ先の無線基地局の探索及び測定を行うものである。即ち、時刻ｔ１１において求めた送信電力量はしきい値９０１を超えていないため、しきい値判定部７０２から異周波測定制御部１０６へは判定値出力「ＮＧ」を出力する。このため、異周波測定制御部１０６は制御信号をスケジュール部１０７へは出力しない。一方、時刻ｔ１２において、送信電力量がしきい値を超えるため、しきい値判定部７０２から異周波測定制御部１０６へは判定値出力「ＯＫ」を出力する。このため、異周波測定制御部１０６は制御信号をスケジュール部１０７へ出力し、ハンドオーバ先の無線基地局の探索及び受信品質の測定が行われる。
【００８６】
このように、本実施の形態の受信品質測定装置によれば、送信電力量がしきい値を超えるか否かによってハンドオーバ先の無線基地局の探索及び受信品質の測定を行うため、それほど受信品質が劣化していない場合に頻繁にハンドオーバ先の無線基地局の探索及び測定が行われることによる処理負荷を少なくして、消費電力を下げることができる。
【００８７】
なお、本実施の形態においては、受信品質測定部１０２から記憶部１０９へ出力することとしたが、送信電力制御部３０１から記憶部１０９へ出力するようにして記憶部１０９にて送信電力値を記憶するようにしても良いし、受信品質測定部１０２及び送信電力制御部３０１の両方から記憶部１０９へ出力するようにして記憶部１０９にて受信品質及び送信電力値の両方を記憶するようにしても良い。
【００８８】
（実施の形態６）
図１０は、本発明の実施の形態６に係る受信品質測定装置１０００の構成を示す図である。本実施の形態においては、変化量計算部１００１を設ける構成が図７の構成と相違している。なお、図１、図３及び図７と同一構成である部分については、同一の符号を付してその説明は省略する。
【００８９】
変化量計算部１００１は、電力計算部７０１から入力する電力量より瞬時変化量を計算してしきい値判定部１００２へ出力する。
【００９０】
次に、しきい値判定部１００２において、電力量の瞬時変化量としきい値との比較による判定方法について、図１１及び図１２を用いて説明する。なお、本実施の形態においては、しきい値判定は図１２により行うものであり、図１１は図１２と比較するための図である。
【００９１】
図１１は、送信電力の時刻推移を示したものであり、縦軸は電力量であり、横軸は時間である。図１２は、送信電力の微分値の時刻推移を示した図であり、縦軸は電力量微分値であり、横軸は時間である。送信電力の電力量は現時刻から過去一定期間の送信電力より算出される。そのため、送信電力の変化が急激であっても、それが送信電力量として現れるのはある程度時間が経過してからになり、その分セルエッジ判定が適用される時間に遅れが生じる。移動体端末がセル範囲を超えるか否かを判定する際、移動体端末の移動速度を考慮すると、移動体端末がセルの境界に差しかかる際の送信電力の急激な上昇から短期間でセルエッジ判定を正確、且つ精細に判定されることが望まれる。
【００９２】
移動体端末は、時刻ｔ１５にセルの境界に差しかかることにより、図１１に示すように、送信電力量は時刻ｔ１５から徐々に上昇し始める。しかし、区間送信電力量がしきい値１１０１を超えるのは時刻ｔ１６であるため、時刻ｔ１５から時刻ｔ１６までの間は移動体端末がセルの境界に居るにも関わらず、時刻ｔ１６になるまでハンドオーバ先の無線基地局の探索及び受信品質の測定は行わない。一方、電力量微分値を用いる場合は、図１２に示すように、移動体端末がセルの境界に居る時刻ｔ１５において、区間送信電力量微分値が急激に上昇することによりしきい値１２０１を超えるため、しきい値判定部１００２から異周波測定制御部１０６へ判定値出力「ＯＫ」が出力され、ハンドオーバ先の無線基地局の探索及び受信品質の測定が時刻ｔ１５より開始される。そして、時刻ｔ１６になると電力量微分値がしきい値１２０１を下回るため、しきい値判定部１００２から異周波測定制御部１０６へ判定値出力「ＮＧ」が出力され、ハンドオーバ先の無線基地局の探索及び受信品質の測定を停止する。なお、図１１に示すような電力量を用いる場合は、時刻ｔ１５からハンドオーバ先の無線基地局の探索及び受信品質の測定を開始したい場合には、しきい値は図１１のしきい値１１０２に設定する必要があるが、しきい値１１０２に設定するとハンドオーバ先の無線基地局の探索及び受信品質の測定の回数が極端に増えてしまい、送受信効率が悪くなるとともに消費電流も増大することとなる。
【００９３】
このように、本実施の形態の受信品質測定装置によれば、それほど受信品質が劣化していない場合に頻繁に探索及び測定が行われることによる処理負荷を少なくして、消費電力を下げることができる。また、送信電力量微分値がしきい値を超えた場合に、切り替え先の無線基地局の探索及び受信品質の測定を行うため、移動体端末がセルの境界に居る場合に瞬時に切り替え先の無線基地局の探索及び受信品質の測定が行え、移動体端末が高速で移動している場合等の瞬時に無線基地局の切り替えを行う必要がある場合に、切り替え先の無線基地局の探索が行えないことにより通信が途切れてしまうことを防止できる。
【００９４】
なお、本実施の形態においては、受信品質測定部１０２から記憶部１０９へ出力することとしたが、送信電力制御部３０１から記憶部１０９へ出力するようにして記憶部１０９にて送信電力値を記憶するようにしても良いし、受信品質測定部１０２及び送信電力制御部３０１の両方から記憶部１０９へ出力するようにして記憶部１０９にて受信品質及び送信電力値の両方を記憶するようにしても良い。
【００９５】
（実施の形態７）
図１３は、本発明の実施の形態７に係る受信品質測定装置１３００の構成を示す図である。本実施の形態においては、ＱｏＳ制御部１３０１を設ける構成が図３の構成と相違している。なお、図１及び図３と同一構成である部分は、同一の符号を付してその説明は省略する。
【００９６】
ＱｏＳ（ｑｕａｌｉｔｙ　ｏｆ　ｓｅｒｖｉｃｅ）制御部１３０１は、誤り率等のＱｏＳパラメータを用いて、ＵＤＩやパケット通信及び音声通信等の各利用形態に合わせて、しきい値判定部３０３のしきい値及び期間判定部１０５の期間を制御する。画像若しくは動画等のような高品質なデータの送受信を行う際は、しきい値判定部３０３において設定するしきい値を低くして、期間判定部１０５において設定する期間判定部１０５が判定値出力「ＯＫ」を出力するまでの時間を短く設定し、ハンドオーバ先の無線基地局の探索及び受信品質の測定の回数を多くすることによって、最新の受信品質に基づいてハンドオーバ先の無線基地局を選択する。一方、音声等のような高品質ではないデータの送受信を行う際は、動画等の高品質データに比べて必ずしも最新の受信品質でなくても良いため、しきい値判定部３０３において設定するしきい値を高くして、期間判定部１０５において設定する期間判定部１０５が判定値出力「ＯＫ」を出力するまでの時間を長く設定し、ハンドオーバ先の無線基地局の探索及び受信品質の測定の回数を減らすことによって、最新の受信品質を得るよりも送受信効率を良くして消費電流を低減する方を優先する。
【００９７】
このように、本実施の形態の受信品質測定装置によれば、上記実施の形態２の効果に加えて、通信を行っている無線回線の受信品質に合わせて、ハンドオーバ先の無線基地局の探索及び受信品質の測定の頻度を柔軟に制御することができる。また、動画等の高品質データの送受信の際には、しきい値判定部３０３におけるしきい値を低く設定し、期間判定部１０５において設定する期間判定部１０５が判定値出力「ＯＫ」を出力するまでの時間を短く設定することにより、常に最新の受信品質の無線基地局へハンドオーバすることができるため、通信が途切れることがない。また、音声等の高品質なデータではない場合は、しきい値判定部３０３におけるしきい値を高く設定し、期間判定部１０５において設定する期間判定部１０５が判定値出力「ＯＫ」を出力するまでの時間を長く設定することにより、送受信効率を良くすること及び消費電流を少なくすることを優先することができる。
【００９８】
なお、本実施の形態においては、受信品質測定部１０２から記憶部１０９へ出力することとしたが、送信電力制御部３０１から記憶部１０９へ出力するようにして記憶部１０９にて送信電力値を記憶するようにしても良いし、受信品質測定部１０２及び送信電力制御部３０１の両方から記憶部１０９へ出力するようにして記憶部１０９にて受信品質及び送信電力値の両方を記憶するようにしても良い。
【００９９】
（実施の形態８）
図１４は、本発明の実施の形態８に係る受信品質測定装置１４００の構成を示す図である。本実施の形態においては、期間制御部１４０１及びしきい値制御部１４０２を設ける構成が図３の構成と相違している。なお、図１及び図３と同一構成である部分は、同一の符号を付してその説明は省略する。
【０１００】
期間制御部１４０１は、受信品質測定部１０２から入力する受信品質に基づいて、期間判定部１０５から異周波測定制御部１０６へ判定値出力「ＯＫ」を出力するまでの送信電力値が継続してしきい値を超える期間を制御する。
【０１０１】
しきい値制御部１４０２は、受信品質測定部１０２から入力する受信品質に基づいて、しきい値判定部３０３から期間判定部１０５へ判定値出力「ＯＫ」若しくは「ＮＧ」を出力するためのしきい値判定部３０３において用いるしきい値を制御する。
【０１０２】
次に、しきい値判定部３０３において用いるしきい値及び期間判定部１０５において用いる期間の制御方法について説明する。受信品質測定部１０２における測定の結果、受信品質が高い場合は、しきい値判定部３０３におけるしきい値を高くして期間判定部１０５における期間を長くする。そして、受信品質測定部１０２における測定の結果、受信品質が劣化した場合は、しきい値判定部３０３におけるしきい値を低くして期間判定部１０５における期間を短くする。
【０１０３】
このように、本実施の形態の受信品質測定装置によれば、上記実施の形態２の効果に加えて、受信品質が高い場合は、しきい値判定部３０３におけるしきい値を高くして期間判定部１０５における期間を長くするので、頻繁にハンドオーバ先の無線基地局の探索及び受信品質の測定を行うことによる処理負荷を少なくして、消費電流を下げることができる。また、受信品質が劣化した場合は、しきい値判定部３０３におけるしきい値を低くして期間判定部１０５における期間を短くするので、移動体端末がセルの境界に居る場合に瞬時に切り替え先の無線基地局の探索及び受信品質の測定が行え、移動体端末が高速で移動している場合等の瞬時に無線基地局の切り替えを行う必要がある場合に、切り替え先の無線基地局の探索が行えないことにより通信が途切れてしまうことを防止できる。
【０１０４】
なお、本実施の形態においては、期間制御部１４０１及びしきい値制御部１４０２を設けることとしたが、いずれか一方のみを設けるようしにしても良い。また、本実施の形態においては、受信品質測定部１０２から記憶部１０９へ出力することとしたが、送信電力制御部３０１から記憶部１０９へ出力するようにして記憶部１０９にて送信電力値を記憶するようにしても良いし、受信品質測定部１０２及び送信電力制御部３０１の両方から記憶部１０９へ出力するようにして記憶部１０９にて受信品質及び送信電力値の両方を記憶するようにしても良い。
【０１０５】
（実施の形態９）
図１５は、本発明の実施の形態９に係る受信品質測定装置１５００の構成を示す図である。本実施の形態においては、異周波ハンドオーバ制御部１５０１を設ける構成が図３の構成と相違している。なお、図１及び図３と同一構成である部分は、同一の符号を付してその説明は省略する。
【０１０６】
異周波ハンドオーバ制御部１５０１は、記憶部１０９から入力する周波数毎の測定した受信品質に基づいて、しきい値判定部３０３から期間判定部１０５へ判定値出力「ＯＫ」若しくは「ＮＧ」を出力するためのしきい値判定部３０３において用いるしきい値及び期間判定部１０５から異周波測定制御部１０６へ判定値出力「ＯＫ」を出力するまでの送信電力値が継続してしきい値を超える期間を制御する。ハンドオーバ先の無線基地局の受信品質が現在通信中の無線基地局における受信品質よりも良好なときは、移動体端末がセルの境界に居るためにハンドオーバする可能性が高い場合等が考えられるため、しきい値判定部３０３におけるしきい値を低く設定し、期間判定部１０５における期間を短くし、最新の受信品質を記憶してハンドオーバに備える。一方、現在通信中の無線基地局における受信品質が、ハンドオーバ先の無線基地局の受信品質よりも良好なときは、移動体端末はセルの境界に居る可能性が低く、ハンドオーバする可能性も低いため、しきい値判定部３０３におけるしきい値を高く設定し、期間判定部１０５における期間を長くし、最新の受信品質を得るよりも送受信効率を良くして消費電流を低減することを優先する。
【０１０７】
このように、本実施の形態の受信品質測定装置は、上記実施の形態２の効果に加えて、ハンドオーバする可能性が高い場合は、しきい値判定部３０３におけるしきい値を低く設定し、期間判定部１０５における期間を短くし、最新の受信品質を記憶してハンドオーバに備えるので、ハンドオーバの際に最適な無線基地局を選択することができる。また、ハンドオーバする可能性が低い場合は、しきい値判定部３０３におけるしきい値を高く設定し、期間判定部１０５における期間を長くするので、送受信効率を良くして消費電流を低減することができる。
【０１０８】
なお、本実施の形態においては、受信品質測定部１０２から記憶部１０９へ出力することとしたが、送信電力制御部３０１から記憶部１０９へ出力するようにして記憶部１０９にて送信電力値を記憶するようにしても良いし、受信品質測定部１０２及び送信電力制御部３０１の両方から記憶部１０９へ出力するようにして記憶部１０９にて受信品質及び送信電力値の両方を記憶するようにしても良い。
【０１０９】
上記実施の形態１から実施の形態９においては、受信品質が受信品質劣化判定用しきい値２０２未満になった場合は、しきい値判定部からスケジュール部１０７へその旨の信号が入力することとしたが、しきい値判定部から期間判定部へ出力することし、期間判定部において所定期間経過した後に初めて受信品質が受信品質劣化判定用しきい値２０２未満であると判定して、期間判定部からスケジュール部１０７へ信号を出力するようにしても良い。
【０１１０】
【発明の効果】
以上説明したように、本発明によれば、送受信効率が良くて消費電流を少なくすることができ、異なる通信相手への切り替えの際に最適な通信相手を選択することにより、通信の切断を防ぐことができる。
【図面の簡単な説明】
【図１】本発明の実施の形態１に係る受信品質測定装置の構成を示すブロック図
【図２】本発明の実施の形態１に係る受信品質としきい値との関係を示す図
【図３】本発明の実施の形態２に係る受信品質測定装置の構成を示すブロック図
【図４】本発明の実施の形態２に係る送信電力値としきい値との関係を示す図
【図５】本発明の実施の形態３に係る受信品質測定装置の構成を示すブロック図
【図６】本発明の実施の形態４に係る受信品質測定装置の構成を示すブロック図
【図７】本発明の実施の形態５に係る受信品質測定装置の構成を示すブロック図
【図８】本発明の実施の形態５に係る送信電力値としきい値との関係を示す図
【図９】本発明の実施の形態５に係る電力量としきい値との関係を示す図
【図１０】本発明の実施の形態６に係る受信品質測定装置の構成を示すブロック図
【図１１】本発明の実施の形態６に係る電力量としきい値との関係を示す図
【図１２】本発明の実施の形態６に係る電力量微分値としきい値との関係を示す図
【図１３】本発明の実施の形態７に係る受信品質測定装置の構成を示すブロック図
【図１４】本発明の実施の形態８に係る受信品質測定装置の構成を示すブロック図
【図１５】本発明の実施の形態９に係る受信品質測定装置の構成を示すブロック図
【符号の説明】
１０２　受信品質測定部
１０４、３０２、３０３、５０１、５０３、７０２、１００２　しきい値判定
部
１０５、５０２、５０４　期間判定部
１０６　異周波測定制御部
１０７　スケジュール部
１０９　記憶部
３０１　送信電力制御部
５０５　論理和素子
６０１　論理積素子
７０１　電力量計算部
１００１　変化量計算部
１３０１　ＱｏＳ制御部
１４０１　期間制御部
１４０２　しきい値制御部
１５０１　異周波ハンドオーバ制御部
【図１】
2004064541.tif 000003
【図２】
2004064541.tif 000004
【図３】
2004064541.tif 000005
【図４】
2004064541.tif 000006
【図５】
2004064541.tif 000007
【図６】
2004064541.tif 000008
【図７】
2004064541.tif 000009
【図８】
2004064541.tif 000010
【図９】
2004064541.tif 000011
【図１０】
2004064541.tif 000012
【図１１】
2004064541.tif 000013
【図１２】
2004064541.tif 000014
【図１３】
2004064541.tif 000015
【図１４】
2004064541.tif 000016
【図１５】
2004064541.tif 000017